(57)【要約】【課題】防塵保護カバーと兼用させることができるとともに既設の端子台への使用にも適した端子台用絶縁保護カバーを提供する。【解決手段】上面および底面の中央部に上開口面１１ａおよび下開口面１１ｂがそれぞれ形成された筺体１１と、筺体１１の上開口面１１ａの範囲内で横方向にスライド可能に設けられた左および右つまみ部材１２Ｌ，１２Ｒと、筺体１１の下開口面１１ｂの範囲内で横方向にスライド可能に設けられた左および右挟持部材１４Ｌ，１４Ｒと、常態では左および右つまみ部材１２Ｌ，１２Ｒを互いに離れた状態とするとともに左および右挟持部材１４Ｌ，１４Ｒを互いに当接した状態とする、かつ、左および右つまみ部材１２Ｌ，１２Ｒを互いに当接するように逆方向にスライドさせると左および右挟持部材１４Ｌ，１４Ｒを互いに離れるように逆方向にスライドさせるためのスライド手段１６Ｌ〜１８Ｌ，１６Ｒ〜１８Ｒとを具備する。【選択図】図１
2016177921.tif 000002
【特許請求の範囲】
【請求項１】
端子台（５０）に用いるための端子台用絶縁保護カバー（１０）であって、
上面および底面の中央部に上開口面（１１ａ）および下開口面（１１ｂ）がそれぞれ形成された筺体（１１）と、
該筺体の前記上開口面の範囲内で横方向にスライド可能に設けられた左および右つまみ部材（１２Ｌ，１２Ｒ）と、
前記筺体の前記下開口面の範囲内で横方向にスライド可能に設けられた左および右挟持部材（１４Ｌ，１４Ｒ）と、
常態では前記左および右つまみ部材を互いに離れた状態とするとともに前記左および右挟持部材を互いに当接した状態とする、かつ、前記左および右つまみ部材が互いに当接するように該左および右つまみ部材を逆方向にスライドさせると前記左および右挟持部材が互いに離れるように該左および右挟持部材を逆方向にスライドさせるためのスライド手段（１６Ｌ〜１８Ｌ，１６Ｒ〜１８Ｒ）と、
を具備することを特徴とする、端子台用絶縁保護カバー。
【請求項２】
前記左および右つまみ部材が、第１の左および右横板部と、該第１の左および右横板部の上面の右端部および左端部にそれぞれ立設された第１の左および右縦板部とをそれぞれ備え、
前記第１の左および右縦板部の上部が、互いに対向するように前記筺体の前記上開口面から突出されており、
前記左および右挟持部材が、第２の左および右横板部と、該第２の左および右横板部の下面の右端部および左端部にそれぞれ立設された第２の左および右縦板部とを備え、
前記第２の左および右縦板部の下部が、互いに対向するように前記筺体の前記下開口面から突出されている、
ことを特徴とする、請求項１記載の端子台用絶縁保護カバー。
【請求項３】
前記スライド手段が、
一端が前記左つまみ部材の前記第１の左横板部の左側面に固定されるとともに他端が前記左挟持部材の前記第２の左横板部の左側面に固定された左連結ベルト（１６Ｌ）と、
一端が前記右つまみ部材の前記第１の右横板部の右側面に固定されるとともに他端が前記右挟持部材の前記第２の右横板部の右側面に固定された右連結ベルト（１６Ｒ）と、
両端が前記筺体の表面および裏面の左端部に取り付けられた左支持軸に回転可能に取り付けられた、かつ、前記左連結ベルトを横方向に折り返すための左ローラ（１７Ｌ）と、
両端が前記筺体の表面および裏面の右端部に取り付けられた右支持軸に回転可能に取り付けられた、かつ、前記右連結ベルトを横方向に折り返すための右ローラ（１７Ｒ）と、
前記左連結ベルトよりも下側に設けられた、かつ、一端が前記左挟持部材の前記第２の左横板部の左側面に固定されるとともに他端が前記筺体の内面の左側下部に固定された左圧縮バネ（１８Ｌ）と、
前記右連結ベルトよりも下側に設けられた、かつ、一端が前記右挟持部材の前記第２の右横板部の右側面に固定されるとともに他端が前記筺体の内面の右側下部に固定された右圧縮バネ（１８Ｒ）と、
を備えることを特徴とする、請求項２記載の端子台用絶縁保護カバー。
【請求項４】
端子台（５０）に用いるための端子台用絶縁保護カバー（２０）であって、
上面および底面の右側部分に上開口面（２１ａ）および下開口面（２１ｂ）がそれぞれ形成された筺体（２１）と、
該筺体の前記上開口面の範囲内で横方向にスライド可能に設けられたつまみ部材（２２）と、
前記筺体の前記下開口面の範囲内で横方向にスライド可能に設けられた左挟持部材（２４Ｌ）と、
前記筺体の底面の右端部に固定された右挟持部材（２４Ｒ）と、
常態では前記左および右挟持部材を互いに当接した状態とする、かつ、前記つまみ部材を右方向にスライドさせると前記左および右挟持部材が互いに離れるように該左挟持部材をスライドさせるためのスライド手段（２６〜２８）と、
を具備することを特徴とする、端子台用絶縁保護カバー。
【請求項５】
前記つまみ部材が、第１の横板部と、該第１の横板部の上面の右端部に立設された第１の縦板部とを備え、
前記第１の縦板部の上部が、前記筺体の前記上開口面から突出されており、
前記左挟持部材が、第２の横板部と、該第２の横板部の下面の右端部に立設された第２の縦板部とを備え、
前記第２の縦板部の下部が、前記筺体の前記下開口面から突出されている、
ことを特徴とする、請求項４記載の端子台用絶縁保護カバー。
【請求項６】
前記スライド手段が、
一端が前記つまみ部材の前記第１の横板部の左側面に固定されるとともに他端が前記左挟持部材の前記第２の横板部の左側面に固定された連結ベルト（２６）と、
両端が前記筺体の表面および裏面の左端部に取り付けられた支持軸に回転可能に取り付けられた、かつ、前記連結ベルトを横方向に折り返すためのローラ（２７）と、
前記連結ベルトよりも下側に設けられた、かつ、一端が前記挟持部材の前記第２の横板部の左側面に固定されるとともに他端が前記筺体の内面の左側下部に固定された圧縮バネ（２８）と、
を備えることを特徴とする、請求項５記載の端子台用絶縁保護カバー。
【発明の詳細な説明】
【技術分野】
【０００１】
本発明は、配電盤等に使われている端子台に使用するのに好適な端子台用絶縁保護カバーに関する。
【背景技術】
【０００２】
従来、配電盤等に使われている端子台において電圧測定作業、配線作業および測定器取付作業等の種々の作業を行う際には、接続端子間の短絡等の発生を防止するために、作業対象以外の端子接続部については絶縁テープを使って覆うことにより作業に適した作業区画を行っている。
しかしながら、作業区画のために使用される絶縁テープは、何度も使用することはできないため、使用後は廃棄されていた。
【０００３】
このような問題の解決手法として、本出願人は、下記の特許文献１において、接続端子の上方を覆い、接続端子を露出させるための端子露出開口部が予め形成された被覆部と、被覆部を接続端子の配列方向に移送させるための移送手段とを有し、移送手段によって被覆部を接続端子の配列方向に移送させることにより端子露出開口部を所望の接続端子の真上位置まで移動させるようにした端子台用保護カバーを提案している。
また、本出願人は、下記の特許文献２において、１つの端子接続部毎に設けられた被覆用のカバーと、このカバーをスライド可能に支持するカバー取付部材とを備え、作業者が、非作業時にはカバーをスライドさせてカバー取付部材に取り付け、作業時には作業対象
の端子接続部のカバーのみをカバー取付部材から取り外して作業対象の端子接続部を露出させるようにした端子台を提案している。
【先行技術文献】
【特許文献】
【０００４】
【特許文献１】特開２００８−０４１４２３号公報
【特許文献２】特開２０１２−１２９０６７号公報
【発明の概要】
【発明が解決しようとする課題】
【０００５】
しかしながら、上記の特許文献１で提案した端子台用保護カバーは、端子露出開口部が被覆部に予め形成されているため、端子台に通常装着されている防塵保護カバーを取り外したのちに装着して使用するのには適しているが、防塵保護カバーと兼用させることができないという問題がある。
また、上記の特許文献２において提案した端子台は、カバーの両側面部をスライド可能に支持して端子接続部の上方の位置で固定するために、端子台の中央仕切部材を介して並列に設けられた仕切部材の上端部に接着剤等を用いてカバー取付部材を強固に固定する必要があるため、新設の端子台に使用するのには有効であるが、既設の端子台に使用するのにはあまり適していないという問題がある。
【０００６】
本発明の目的は、防塵保護カバーと兼用させることができるとともに既設の端子台への使用にも適した端子台用絶縁保護カバーを提供することにある。
【課題を解決するための手段】
【０００７】
本発明の第１の端子台用絶縁保護カバーは、端子台（５０）に用いるための端子台用絶縁保護カバー（１０）であって、上面および底面の中央部に上開口面（１１ａ）および下開口面（１１ｂ）がそれぞれ形成された筺体（１１）と、該筺体の前記上開口面の範囲内で横方向にスライド可能に設けられた左および右つまみ部材（１２Ｌ，１２Ｒ）と、前記筺体の前記下開口面の範囲内で横方向にスライド可能に設けられた左および右挟持部材（１４Ｌ，１４Ｒ）と、常態では前記左および右つまみ部材を互いに離れた状態とするとともに前記左および右挟持部材を互いに当接した状態とする、かつ、前記左および右つまみ部材が互いに当接するように該左および右つまみ部材を逆方向にスライドさせると前記左および右挟持部材が互いに離れるように該左および右挟持部材を逆方向にスライドさせるためのスライド手段（１６Ｌ〜１８Ｌ，１６Ｒ〜１８Ｒ）とを具備することを特徴とする。
ここで、前記左および右つまみ部材が、第１の左および右横板部と、該第１の左および右横板部の上面の右端部および左端部にそれぞれ立設された第１の左および右縦板部とをそれぞれ備え、前記第１の左および右縦板部の上部が、互いに対向するように前記筺体の前記上開口面から突出されており、前記左および右挟持部材が、第２の左および右横板部と、該第２の左および右横板部の下面の右端部および左端部にそれぞれ立設された第２の左および右縦板部とを備え、前記第２の左および右縦板部の下部が、互いに対向するように前記筺体の前記下開口面から突出されていてもよい。
前記スライド手段が、一端が前記左つまみ部材の前記第１の左横板部の左側面に固定されるとともに他端が前記左挟持部材の前記第２の左横板部の左側面に固定された左連結ベルト（１６Ｌ）と、一端が前記右つまみ部材の前記第１の右横板部の右側面に固定されるとともに他端が前記右挟持部材の前記第２の右横板部の右側面に固定された右連結ベルト（１６Ｒ）と、両端が前記筺体の表面および裏面の左端部に取り付けられた左支持軸に回転可能に取り付けられた、かつ、前記左連結ベルトを横方向に折り返すための左ローラ（１７Ｌ）と、両端が前記筺体の表面および裏面の右端部に取り付けられた右支持軸に回転可能に取り付けられた、かつ、前記右連結ベルトを横方向に折り返すための右ローラ（１７Ｒ）と、前記左連結ベルトよりも下側に設けられた、かつ、一端が前記左挟持部材の前記第２の左横板部の左側面に固定されるとともに他端が前記筺体の内面の左側下部に固定された左圧縮バネ（１８Ｌ）と、前記右連結ベルトよりも下側に設けられた、かつ、一端が前記右挟持部材の前記第２の右横板部の右側面に固定されるとともに他端が前記筺体の内面の右側下部に固定された右圧縮バネ（１８Ｒ）とを備えてもよい。
本発明の第２の端子台用絶縁保護カバーは、端子台（５０）に用いるための端子台用絶縁保護カバー（２０）であって、上面および底面の右側部分に上開口面（２１ａ）および下開口面（２１ｂ）がそれぞれ形成された筺体（２１）と、該筺体の前記上開口面の範囲内で横方向にスライド可能に設けられたつまみ部材（２２）と、前記筺体の前記下開口面の範囲内で横方向にスライド可能に設けられた左挟持部材（２４Ｌ）と、前記筺体の底面の右端部に固定された右挟持部材（２４Ｒ）と、常態では前記左および右挟持部材を互いに当接した状態とする、かつ、前記つまみ部材を右方向にスライドさせると前記左および右挟持部材が互いに離れるように該左挟持部材をスライドさせるためのスライド手段（２６〜２８）とを具備することを特徴とする。
ここで、前記つまみ部材が、第１の横板部と、該第１の横板部の上面の右端部に立設された第１の縦板部とを備え、前記第１の縦板部の上部が、前記筺体の前記上開口面から突出されており、前記左挟持部材が、第２の横板部と、該第２の横板部の下面の右端部に立設された第２の縦板部とを備え、前記第２の縦板部の下部が、前記筺体の前記下開口面から突出されていてもよい。
前記スライド手段が、一端が前記つまみ部材の前記第１の横板部の左側面に固定されるとともに他端が前記左挟持部材の前記第２の横板部の左側面に固定された連結ベルト（２６）と、両端が前記筺体の表面および裏面の左端部に取り付けられた支持軸に回転可能に取り付けられた、かつ、前記連結ベルトを横方向に折り返すためのローラ（２７）と、前記連結ベルトよりも下側に設けられた、かつ、一端が前記挟持部材の前記第２の横板部の左側面に固定されるとともに他端が前記筺体の内面の左側下部に固定された圧縮バネ（２８）とを備えてもよい。
【発明の効果】
【０００８】
本発明の端子台用絶縁保護カバーは、以下に示す効果を奏する。
（１）通常は端子台のすべての端子接続部をカバーするように取り付けておき、作業時には作業対象の端子接続部に取り付けたものだけを取り外せばよいため、防塵保護カバーと兼用させることができる。
（２）端子台の中央仕切部材を挟んで装着する構成であるため、既設の端子台への使用にも適しているとともに、誰でも容易に取り付けたり取り外したりすることができる。
（３）電圧測定作業、配線作業および測定器取付作業等あらゆる作業に対応可能であるとともに、配線数が多くても対応可能である。
【図面の簡単な説明】
【０００９】
【図１】本発明の一実施例による端子台用絶縁保護カバー１０の構成について説明するための図であり、（ａ）は端子台用絶縁保護カバー１０の上面図であり、（ｂ）は左および右つまみ部材１２Ｌ，１２Ｒと左および右挟持部材１４Ｌ，１４Ｒとの支持について説明するための端子台用絶縁保護カバー１０内を左側面から見た図であり、（ｃ）は端子台用絶縁保護カバー１０の内部構成を説明するための端子台用絶縁保護カバー１０内を正面から見た図であり、（ｄ）は端子台用絶縁保護カバー１０の底面図であり、（ｅ）は左および右つまみ部材１２Ｌ，１２Ｒと左および右挟持部材１４Ｌ，１４Ｒとの動きについて説明するための端子台用絶縁保護カバー１０内を正面から見た図である。
【図２】図１に示した端子台用絶縁保護カバー１０の使用方法について説明するための図である。
【図３】図１に示した端子台用絶縁保護カバー１０の使用方法について説明するための図である。
【図４】図１に示した端子台用絶縁保護カバー１０の変形例である端子台用絶縁保護カバー２０の構成について説明するための図であり、（ａ）は端子台用絶縁保護カバー２０の上面図であり、（ｂ）は端子台用絶縁保護カバー２０の内部構成を説明するための端子台用絶縁保護カバー２０内を正面から見た図であり、（ｃ）は端子台用絶縁保護カバー２０の底面図である。
【図５】図４に示した端子台用絶縁保護カバー２０の使用方法について説明するための図である。
【発明を実施するための形態】
【００１０】
上記の目的を、２つの挟持部材で端子台の中央仕切板を挟んで端子台に装着させる構成とすることにより実現した。
【実施例１】
【００１１】
以下、本発明の端子台用絶縁保護カバーの実施例について図面を参照して説明する。
なお、以下では、図２（ａ）に示す端子台５０について本発明の一実施例による端子台用絶縁保護カバー１０（以下、「絶縁保護カバー１０」と称する。）を使用する場合を例として説明する。
【００１２】
端子台５０は、図２（ａ），（ｂ）に示すように、端子台本体５１と、中央仕切部材５２と、仕切部材５３と、端子接続部５４とを備える。
ここで、端子台本体５１は、中空の直方体形状を有し、プラスチック等の樹脂材料から構成されている。
中央仕切部材５２は、端子台本体５１の表面の中央部に、端子台本体５１の縦方向（端子台５０の高さ方向）に沿って延在するように設けられている。
仕切部材５３は、高さが中央仕切部材５２の高さと略同じ薄板からなり、中央仕切部材５２を挟んで並列（２列）に設けられている。また、仕切部材５３は、その横方向（幅方向）が端子台本体５１の横方向（幅方向）に沿って延在するように、端子台本体５１の縦方向に所定の間隔で立設されている。
端子接続部５４は、端子台本体５１の縦方向に隣接した仕切部材５３の間に、この隣接する仕切部材５３と中央仕切部材５２とによって区画された１２個の領域に１つずつ設けられている。また、端子接続部５４は、電線の一端が接続された圧着端子を挟持して電線を端子台５０に接続するためのネジ部および導電体を備える。
【００１３】
本発明の一実施例による絶縁保護カバー１０は、図１（ａ）〜（ｅ）に示すように、中空の直方体状の筺体１１と、左および右つまみ部材１２Ｌ，１２Ｒと、４本のつまみ部材支持棒１３（角棒）と、左および右挟持部材１４Ｌ，１４Ｒと、４本の挟持部材支持棒１５（角棒）と、左および右連結ベルト１６Ｌ，１６Ｒと、筺体１１内の左右端部に２個ずつ横方向に並設された左および右ローラ１７Ｌ，１７Ｒと、左および右圧縮バネ１８Ｌ，１８Ｒとを具備する。
【００１４】
ここで、筺体１１の上面の縦方向の長さは、端子台本体５１の縦方向に隣接する仕切部材５３の間隔と同じにされており、筺体１１の上面の横方向の長さは、端子台本体５１の幅（横方向の長さ）よりも長くされている（図２（ｃ）参照）。
また、筺体１１の上面および底面の中央部には、図１（ａ），（ｄ）に示すように、上開口面１１ａおよび下開口面１１ｂがそれぞれ形成されている。
【００１５】
左つまみ部材１２Ｌは、図１（ｂ），（ｃ），（ｅ）に示すように、横板部（第１の左横板部）と横板部の上面の右端部の中央部に一体的に立設された縦板部（第１の左縦板部）とからなり、正面視Ｌ状の形状を有する。また、左つまみ部材１２Ｌの縦板部の上部は、筺体１１の上開口面１１ａから突出している。
右つまみ部材１２Ｒは、左つまみ部材１２Ｌの左右を逆にした形状を有する。すなわち、右つまみ部材１２Ｒは、横板部（第１の右横板部）と横板部の上面の左端部の中央部に一体的に立設された縦板部（第１の右縦板部）とからなり、正面視Ｌ状の形状を有する。また、右つまみ部材１２Ｒの縦板部の上部は、左つまみ部材１２Ｌの縦板部の上部と互いに対向するように、筺体１１の上開口面１１ａから突出している。
【００１６】
４本のつまみ部材支持棒１３は、図１（ｃ），（ｅ）に示すように、筺体１１の上開口面１１ａの横方向の長さよりも長くされている。また、４本のつまみ部材支持棒１３は、図１（ｂ）に示すように、筺体１１の内面の表および裏側中央部の上部に、左および右つまみ部材１２Ｌ，１２Ｒの横板部の上面および底面を挟持するように、筺体１１の上面と平行に２本ずつ取り付けられている。
これにより、左および右つまみ部材１２Ｌ，１２Ｒは、筺体１１の上開口面１１ａの範囲内で横方向にスライド可能に４本のつまみ部材支持棒１３によって支持されている。
【００１７】
左挟持部材１４Ｌは、図１（ｂ），（ｃ），（ｅ）に示すように、横板部（第２の左横板部）と横板部の下面の右端部の中央部に一体的に立設された縦板部（第２の左縦板部）とからなり、正面視Ｌ状の形状を有する。また、左挟持部材１４Ｌの縦板部の下部は、筺体１１の下開口面１１ｂから突出している。
右挟持部材１４Ｒは、左挟持部材１４Ｌの左右を逆にした形状を有する。すなわち、右挟持部材１４Ｒは、横板部（第２の右横板部）と横板部の下面の左端部の中央部に一体的に立設された縦板部（第２の右縦板部）とからなり、正面視Ｌ状の形状を有する。また、右挟持部材１４Ｒの縦板部の下部は、左挟持部材１４Ｌの縦板部の下部と互いに対向するように、筺体１１の下開口面１１ｂから突出している。
【００１８】
４本の挟持部材支持棒１５は、図１（ｃ），（ｅ）に示すように、筺体１１の下開口面１１ｂの横方向の長さよりも長くされている。また、４本の挟持部材支持棒１５は、図１（ｂ）に示すように、筺体１１の内面の表および裏側中央部の下部に、左および右挟持部材１４Ｌ，１４Ｒの横板部の上面および底面を挟持するように、筺体１１の上面と平行に２本ずつ取り付けられている。
これにより、左および右挟持部材１４Ｌ，１４Ｒは、筺体１１の下開口面１１ｂの範囲内で横方向にスライド可能に４本の挟持部材支持棒１５によって支持されている。
【００１９】
左連結ベルト１６Ｌは、帯状のものであり、図１（ｃ），（ｅ）に示すように、一端が左つまみ部材１２Ｌの横板部の左側面に固定されているとともに、他端が左挟持部材１４Ｌの横板部の左側面に固定されている。
同様に、右連結ベルト１６Ｒは、帯状のものであり、一端が右つまみ部材１２Ｒの横板部の右側面に固定されているとともに、他端が右挟持部材１４Ｒの横板部の右側面に固定されている。
【００２０】
左ローラ１７Ｌは、左連結ベルト１６Ｌを横方向に折り返すためのものであり、両端が筺体１１の表面および裏面の左端部に取り付けられた左支持軸に回転可能に取り付けられている。
同様に、右ローラ１７Ｒは、右連結ベルト１６Ｒを横方向に折り返すためのものであり、両端が筺体１１の表面および裏面の右端部に取り付けられた右支持軸に回転可能に取り付けられている。
【００２１】
左圧縮バネ１８Ｌは、図１（ｃ），（ｅ）に示すように、左連結ベルト１６Ｌよりも下側に設けられており、一端が左挟持部材１４Ｌの横板部の左側面に固定されているとともに、他端が筺体１１の内面の左側下部に固定されている。
同様に、右圧縮バネ１８Ｒは、右連結ベルト１６Ｒよりも下側に設けられており、一端が右挟持部材１４Ｒの横板部の右側面に固定されているとともに、他端が筺体１１の内面の右側下部に固定されている。
これにより、左および右挟持部材１４Ｌ，１４Ｒは、常態では、左および右圧縮バネ１８Ｌ，１８Ｒによって付勢されて、図１（ｃ）に矢印で示すように、左および右挟持部材１４Ｌ，１４Ｒの縦板部が当接した状態となるとともに、左および右つまみ部材１２Ｌ，１２Ｒは、左および右連結ベルト１６Ｌ，１６Ｒを介して左および右挟持部材１４Ｌ，１４Ｒによって引っ張られて左および右方向にそれぞれスライドして、左および右つまみ部材１２Ｌ，１２Ｒの縦板部が離れた状態となる。
また、図１（ｅ）に矢印で示すように、離れた状態となっている左および右つまみ部材１２Ｌ，１２Ｒの縦板部を２本の指で右および左方向に向かってスライドさせると、左および右挟持部材１４Ｌ，１４Ｒが左および右連結ベルト１６Ｌ，１６Ｒを介して左および右圧縮バネ１８Ｌ，１８Ｒの付勢力に抗して左および右方向にそれぞれ引っ張られて、左および右挟持部材１４Ｌ，１４Ｒの縦板部を離すことができる。
このとき、離れた左および右挟持部材１４Ｌ，１４Ｒの縦板部の間隔は、端子台５０の中央仕切部材５２の幅（横方向の長さ）よりも長くなるようにされている。
【００２２】
次に、絶縁保護カバー１０の使用方法について、図２（ａ）〜（ｄ）および図３を参照して説明する。
作業員は、既設の端子台５０に通常装着されている防塵保護カバーを取り外したのち、絶縁保護カバー１０の端子台本体１１の上面を手前に向け、常態で離れた状態となっている左および右つまみ部材１２Ｌ，１２Ｒの縦板部を２本の指で右および左方向に向かってスライドさせて、左および右挟持部材１４Ｌ，１４Ｒの縦板部を離す。
【００２３】
続いて、作業員は、端子台５０の１段目の横方向に隣接する２個の端子接続部５４（以下、「１段目の一対の端子接続部５４」と称する。）の手前に絶縁保護カバー１０を位置させたのち、左および右つまみ部材１２Ｌ，１２Ｒの縦板部から２本の指を離して左および右挟持部材１４Ｌ，１４Ｒの縦板部によって端子台５０の中央仕切板５２を挟んで（図２（ｄ）参照）、１段目の一対の端子接続部５４を絶縁保護カバー１０でカバーする。
【００２４】
続いて、作業員は、別の絶縁保護カバー１０の端子台本体１１の上面を手前に向け、常態で離れた状態となっている左および右つまみ部材１２Ｌ，１２Ｒの縦板部を２本の指で右および左方向に向かってスライドさせて、左および右挟持部材１４Ｌ，１４Ｒの縦板部を離す。
【００２５】
続いて、作業員は、端子台５０の上から２段目の横方向に隣接する２個の端子接続部５４（以下、「２段目の一対の端子接続部５４」と称する。）の手前にこの絶縁保護カバー１０を位置させたのち、この絶縁保護カバー１０の左および右つまみ部材１２Ｌ，１２Ｒの縦板部から２本の指を離して左および右挟持部材１４Ｌ，１４Ｒの縦板部によって端子台５０の中央仕切板５２を挟んで、２段目の一対の端子接続部５４をこの絶縁保護カバー１０でカバーする。
【００２６】
以降、同様の装着手順を繰り返して、作業員は、端子台５０の上から３段目から６段目の横方向に隣接する２個の端子接続部５４（以下、「３乃至６段目の一対の端子接続部５４」と称する。）を別々の絶縁保護カバー１０でカバーする。
これにより、図２（ｃ）に示すように１乃至６段目の一対の端子接続部５４を６個の絶縁保護カバー１０でカバーできるため、絶縁保護カバー１０を従来の防塵保護カバーと兼用させることができる。
【００２７】
その後、この端子台５０の３段目の一対の端子接続部５４（以下、「一対の作業対象端子接続部５４ａ」と称する。）について電圧測定作業、配線作業および測定器取付作業等を行う場合には、作業員は、一対の作業対象端子接続部５４ａをカバーしている絶縁保護カバー１０の左および右つまみ部材１２Ｌ，１２Ｒの縦板部を２本の指で右および左方向に向かってスライドさせて、左および右挟持部材１４Ｌ，１４Ｒの縦板部を離したのち、この絶縁保護カバー１０を手前に引くことにより、図３に示すようにこの絶縁保護カバー１０のみを端子台５０から取り外す。
【００２８】
これにより、一対の作業対象端子接続部５４ａは露出されるため、作業員は、一対の作業対象端子接続部５４ａについて電圧測定作業、配線作業および測定器取付作業等を行う。
【００２９】
作業が終了すると、作業員は、上述した装着手順を行って、作業前に取り外した絶縁保護カバー１０で一対の作業対象端子接続部５４ａをカバーする。
【００３０】
なお、作業によっては、たとえば３段目の一対の端子接続部５４のうち右側の端子接続部５４（以下、「作業対象端子接続部５４ｂ」と称する。）だけについて行う場合がある。
このような場合には、図４（ａ）〜（ｃ）に示す絶縁保護カバー２０（上述した絶縁保護カバー１０の変形例）を使用する。
【００３１】
絶縁保護カバー２０は、スライド可能な左挟持部材２４Ｌと筺体２１の底面に固定された右挟持部材２４Ｒとで端子台５０の中央仕切板５２を挟んで絶縁保護カバー２０を端子台５０に装着するようにされている点で、上述した絶縁保護カバー１０と異なる。
【００３２】
そのため、絶縁保護カバー２０は、図４（ａ）〜（ｃ）に示すように、中空の直方体状の筺体２１と、つまみ部材２２と、４本のつまみ部材支持棒２３（角棒）と、左および右挟持部材２４Ｌ，２４Ｒと、４本の挟持部材支持棒２５（角棒）と、連結ベルト２６と、筺体２１内の左端部に横方向に並設された２個のローラ２７と、圧縮バネ２８とを具備する。
【００３３】
ここで、筺体２１の上面の縦方向の長さは、端子台本体５１の縦方向に隣接する仕切部材５３の間隔と同じにされており、筺体２１の上面の横方向の長さは、端子台本体５１の幅の半分よりも長く端子台本体５１の幅よりも短くされている（図５（ａ），（ｂ）参照）。
また、筺体２１の上面および底面の右側部分には、上開口面２１ａおよび下開口面２１ｂがそれぞれ形成されている。
【００３４】
つまみ部材２２は、横板部（第１の横板部）と横板部の上面の右端部の中央部に一体的に立設された縦板部（第１の縦板部）とからなり、正面視Ｌ状の形状を有する。また、つまみ部材２２の縦板部の上部は、筺体２１の上開口面２１ａから突出している。
【００３５】
４本のつまみ部材支持棒２３は、筺体２１の上開口面２１ａの横方向の長さよりも長くされている。また、４本のつまみ部材支持棒２３は、筺体２１の内面の表および裏側中央部の上部に、つまみ部材２２の横板部の上面および底面を挟持するように、筺体１１の上面と平行に２本ずつ取り付けられている。
これにより、つまみ部材２２は、筺体２１の上開口面２１ａの範囲内で横方向にスライド可能に４本のつまみ部材支持棒２３によって支持されている。
【００３６】
左挟持部材２４Ｌは、横板部（第２の横板部）と横板部の下面の右端部の中央部に一体的に立設された縦板部（第２の縦板部）とからなり、正面視Ｌ状の形状を有する。また、左挟持部材２４Ｌの縦板部の下部は、筺体２１の下開口面２１ｂから突出している。
右挟持部材２４Ｒは、矩形板状の形状を有し、筺体２１の底面の右端部の中央部に固定されている。
【００３７】
４本の挟持部材支持棒２５は、筺体２１の下開口面２１ｂの横方向の長さよりも長くされている。また、４本の挟持部材支持棒２５は、筺体２１の内面の表および裏側中央部の下部に、左挟持部材２４Ｌの横板部の上面および底面を挟持するように、筺体２１の上面と平行に２本ずつ取り付けられている。
これにより、左挟持部材２４Ｌは、筺体２１の下開口面２１ｂの範囲内で横方向にスライド可能に４本の挟持部材支持棒２５によって支持されている。
【００３８】
連結ベルト２６は、帯状のものであり、一端がつまみ部材２２の横板部の左側面に固定されているとともに、他端が左挟持部材２４Ｌの横板部の左側面に固定されている。
【００３９】
ローラ２７は、連結ベルト２６を横方向に折り返すためのものであり、両端が筺体２１の表面および裏面の左端部に取り付けられた左支持軸に回転可能に取り付けられている。
【００４０】
圧縮バネ２８は、連結ベルト２６よりも下側に設けられており、一端が左挟持部材２４Ｌの横板部の左側面に固定されているとともに、他端が筺体２１の内面の左側下部に固定されている。
これにより、左挟持部材２４Ｌは、常態では、圧縮バネ２８によって付勢されて、左挟持部材２４Ｌの縦板部と右挟持部材２４Ｒとが当接した状態となるとともに、つまみ部材２２は、連結ベルト２６を介して左挟持部材２４Ｌによって引っ張られて左方向にスライドして、つまみ部材２２の縦板部が筺体２１の上開口面２１ａの左端部側に位置する状態となる。
また、筺体２１の上開口面２１ａの左端部側に位置する状態となっているつまみ部材２２の縦板部を指で右方向に向かってスライドさせると、左挟持部材２４Ｌが連結ベルト２６を介して圧縮バネ２８の付勢力に抗して左方向に引っ張られて、左挟持部材２４Ｌの縦板部と右挟持部材２４Ｒとを離すことができる。
このとき、離れた左挟持部材２４Ｌの縦板部と右挟持部材２４Ｒとの間隔は、端子台５０の中央仕切部材５２の幅よりも長くなるようにされている。
【００４１】
次に、作業対象端子接続部５４ｂについて作業を行う場合の絶縁保護カバー２０の使用方法について、図５（ａ），（ｂ）を参照して説明する。
作業員は、図２（ｃ）に示したように端子台５０に装着されている６個の絶縁保護カバー１０のうち３段目の一対の端子接続部５４をカバーしている絶縁保護カバー１０の左および右つまみ部材１２Ｌ，１２Ｒの縦板部を２本の指で右および左方向に向かってスライドさせて、左および右挟持部材１４Ｌ，１４Ｒの縦板部を離したのち、絶縁保護カバー１０を手前に引くことにより、図３に示したようにこの絶縁保護カバー１０のみを端子台５０から取り外す。
【００４２】
続いて、絶縁保護カバー２０の端子台本体２１の上面を手前に向け、常態で筺体２１の上開口面２１ａの左端部側に位置しているつまみ部材２２の縦板部を指で右方向に向かってスライドさせて、左挟持部材２４Ｌの縦板部と右挟持部材２４Ｒとを離す。
【００４３】
続いて、作業員は、端子台５０の３段目の一対の端子接続部５４のうち左側の端子接続部５４（以下、「非作業対象端子接続部５４ｃ」と称する。）の手前に絶縁保護カバー２０を位置させたのち、つまみ部材２２の縦板部から指を離して左挟持部材２４Ｌの縦板部と右挟持部材２４Ｒとによって端子台５０の中央仕切板５２を挟んで（図５（ｂ）参照）、非作業対象端子接続部５４ｃを絶縁保護カバー２０でカバーする。
【００４４】
これにより、作業対象端子接続部５４ｂは露出されるため、作業員は、作業対象端子接続部５４ｂについて作業を行う。
【００４５】
作業が終了すると、作業員は、筺体２１の上開口面２１ａの左端部側に位置しているつまみ部材２２の縦板部を指で右方向に向かってスライドさせて左挟持部材２４Ｌの縦板部と右挟持部材２４Ｒとを離したのち、絶縁保護カバー２０を３段目の一対の端子接続部５４から取り外す。
【００４６】
続いて、作業員は、絶縁保護カバー１０の使用方法で上述した装着手順を行って、作業前に取り外した絶縁保護カバー１０で３段目の一対の端子接続部５４をカバーする。
【００４７】
なお、作業によっては、たとえば５段目の一対の端子接続部５４のうち左側の端子接続部５４だけについて行う場合もあるが、このような場合には、絶縁保護カバー２０の左右を逆にして使用すれば、上述した手順を行うことにより、５段目の一対の端子接続部５４のうち右側の端子接続部５４（非作業対象端子接続部）を絶縁保護カバー２０でカバーして、５段目の一対の端子接続部５４のうち左側の端子接続部５４（作業対象端子接続部）だけを露出させることができる。
【符号の説明】
【００４８】
１０，２０  絶縁保護カバー
１１，２１  筺体
１１ａ，１１ｂ，２１ａ，２１ｂ  上および下開口面
１２Ｌ，１２Ｒ  左および右つまみ部材
１３，２３  つまみ部材支持棒
１４Ｌ，１４Ｒ，２４Ｌ，２４Ｒ  左および右挟持部材
１５，２５  挟持部材支持棒
１６Ｌ，１６Ｒ  左および右連結ベルト
１７Ｌ，１７Ｒ  左および右ローラ
１８Ｌ，１８Ｒ  左および右圧縮バネ
２２  つまみ部材
２６  連結ベルト
２７  ローラ
２８  圧縮バネ
５０  端子台
５１  端子台本体
５２  中央仕切部材
５３  仕切部材
５４  端子接続部
５４ａ  一対の作業対象端子接続部
５４ｂ  作業対象端子接続部
５４ｃ  作業対象端子接続部
【図１】
2016177921.tif 000003
【図２】
2016177921.tif 000004
【図３】
2016177921.tif 000005
【図４】
2016177921.tif 000006
【図５】
2016177921.tif 000007